(57)【要約】  【課題】  シートに応じた画像の記録を行うことができる画像記録装置を提供する。  【解決手段】  データに基づく画像をシートに記録する複合機（画像記録装置）１０において、手差トレイにセット又はカセットに格納されたシートに関する、シートサイズ又はシートに付加されたバーコードなどの情報を取得し、取得した情報に応じたデータを内蔵の記憶装置から読出したり、他の装置から受信して準備し、準備したデータに基づく画像をシートに記録する。【選択図】      図１
2006247895.tif 000002
【特許請求の範囲】
【請求項１】
データに基づく画像をシートに記録する画像記録装置において、
画像を記録するシートに関する情報を取得する取得手段と、
該取得手段が取得した情報に応じたデータを準備する準備手段と
を備え、該準備手段が準備したデータに基づく画像をシートに記録するように構成されていることを特徴とする画像記録装置。
【請求項２】
前記取得手段は、シートに関する情報として、シートの種類又はシートに付加されている識別子を取得するように構成されていることを特徴とする請求項１記載の画像記録装置。
【請求項３】
画像を記録するシートは、シートがセットされるトレイから供給されるように構成してあり、
前記取得手段は、前記トレイにセットされるシートに関する情報を取得するように構成してあることを特徴とする請求項１又は２記載の画像記録装置。
【請求項４】
画像を記録するシートは、シートが格納される複数のカセットのうち、指定されたカセットから供給されるように構成してあり、
前記取得手段は、前記指定されたカセットに格納されるシートに関する情報を取得するように構成してあることを特徴とする請求項１又は２記載の画像記録装置。
【請求項５】
他の装置からデータを受信する受信手段を備え、
前記準備手段は、準備すべきデータを前記受信手段によって受信するように構成されていることを特徴とする請求項１乃至４の何れかひとつに記載の画像記録装置。
【請求項６】
データを記憶する記憶部を備え、
前記準備手段は、該記憶部から、準備すべきデータを読出すように構成されていることを特徴とする請求項１乃至４の何れかひとつに記載の画像記録装置。
【請求項７】
前記準備手段がデータの準備を完了するまで、シートへの画像の記録を禁止する禁止手段を備えることを特徴とする請求項５又は６記載の画像記録装置。
【発明の詳細な説明】
【技術分野】
【０００１】
本発明は、データに基づく画像をシートに記録する画像記録装置に関する。
【背景技術】
【０００２】
課金を行って複写又はＦＡＸ送信などの処理を行う複合機が従来からコンビニエンスストアなどに設置されている。近年、このような複合機を用いて、有料の画像を提供するサービスが提供されている（例えば、特許文献１参照）。このようなサービスにおいては、まず希望の画像を選択し、次に印刷条件などを指定し、課金が完了した後、希望の画像がプリントアウトされる。
【特許文献１】特開２００４−１１８３１７号公報
【発明の開示】
【発明が解決しようとする課題】
【０００３】
プリントアウトする画像は、複数の画像の中から選択する必要があるが、多数の画像の中から選択するのは非常に手間がかかるという問題がある。例えば、複合機の表示パネルに画像を表示する場合は、表示可能な画像サイズが小さいために見難いという問題、及び、一画面に表示可能な画像数が少ないため全画像を見るのに時間がかかるという問題がある。また、画像を選択した後、印刷条件などを指定する必要があるため、例えばＡ４サイズの画像をＢ５用紙に印刷したために画像が用紙に収まらないなど、印刷を失敗することがある。
【０００４】
本発明は斯かる事情に鑑みてなされたものであり、画像を記録するシートに関する情報を取得する取得手段と、取得した情報に応じたデータを準備する準備手段とを備えることにより、シートに応じた画像を記録することができる画像記録装置を提供することを目的とする。
【０００５】
また、本発明は、シートに関する情報として、シートの種類又はシートに付加されている識別子を取得するように構成したことにより、種々のシートに応じた種々の画像を記録することができる画像記録装置を提供することを他の目的とする。
【０００６】
また、本発明は、トレイにセットされるシートに関する情報を取得するように構成したことにより、トレイにセットされた種々のシートに対し、セットされたシートに応じた画像を記録することができる画像記録装置を提供することを他の目的とする。
【０００７】
また、本発明は、指定されたカセットに格納されるシートに関する情報を取得するように構成したことにより、各カセットに格納されたシートに対し、使用するシートに応じた画像を記録することができる画像記録装置を提供することを他の目的とする。
【０００８】
また、本発明は、他の装置からデータを受信する受信手段を備え、準備すべきデータを前記受信手段によって受信するように構成したことにより、準備可能なデータを柔軟に変更することが可能な画像記録装置を提供することを他の目的とする。
【０００９】
また、本発明は、データを記憶する記憶部を備え、準備すべきデータを前記記憶部から読出すように構成したことにより、画像がシートに記録されるまでの待ち時間の短縮化を図ることができる画像記録装置を提供することを他の目的とする。
【００１０】
また、本発明は、データの準備が完了するまで、シートへの画像の記録を禁止する禁止手段を備えることにより、データの欠落による不完全な画像の記録を防止することができる画像記録装置を提供することを他の目的とする。
【課題を解決するための手段】
【００１１】
本発明に係る画像記録装置は、データに基づく画像をシートに記録する画像記録装置において、画像を記録するシートに関する情報を取得する取得手段と、該取得手段が取得した情報に応じたデータを準備する準備手段とを備え、該準備手段が準備したデータに基づく画像をシートに記録するように構成されていることを特徴とする。
【００１２】
本発明に係る画像記録装置は、前記取得手段は、シートに関する情報として、シートの種類又はシートに付加されている識別子を取得するように構成されていることを特徴とする。
【００１３】
本発明に係る画像記録装置は、画像を記録するシートは、シートがセットされるトレイから供給されるように構成してあり、前記取得手段は、前記トレイにセットされるシートに関する情報を取得するように構成してあることを特徴とする。
【００１４】
本発明に係る画像記録装置は、画像を記録するシートは、シートが格納される複数のカセットのうち、指定されたカセットから供給されるように構成してあり、前記取得手段は、前記指定されたカセットに格納されるシートに関する情報を取得するように構成してあることを特徴とする。
【００１５】
本発明に係る画像記録装置は、他の装置からデータを受信する受信手段を備え、前記準備手段は、準備すべきデータを前記受信手段によって受信するように構成されていることを特徴とする。
【００１６】
本発明に係る画像記録装置は、データを記憶する記憶部を備え、前記準備手段は、該記憶部から、準備すべきデータを読出すように構成されていることを特徴とする。
【００１７】
本発明に係る画像記録装置は、前記準備手段がデータの準備を完了するまで、シートへの画像の記録を禁止する禁止手段を備えることを特徴とする。
【００１８】
本発明においては、画像を記録するシートに関する情報を取得手段が取得し、取得した情報に応じたデータを準備手段が準備し、準備したデータに基づく画像をシートに記録する。シートに関する情報は、例えばシートサイズなどのシート自身に関する情報、又は、バーコードなどのシートに付加されている識別子に関する情報とすることが可能である。また、準備手段は、例えば記憶部に記憶されている、シートに関する情報とデータ名との対応関係に基づいて、取得した情報に応じたデータの準備を行ったり、例えばシートに関する情報に含まれるデータ名に基づいて、取得した情報に応じたデータの準備を行うことが可能である。ユーザは、希望の画像に対応するシートを用意するだけでよく、記録する画像は画像記録装置側でシートに応じて自動的に準備される。
【００１９】
本発明においては、取得手段は、シートに関する情報として、シートの種類又はシートに付加されている識別子を取得する。例えばシートの種類として、Ａ４又はＢ５などのシートのサイズを取得したり、ＣＣＤ（Charge Coupled Device）などを用いてシートの色を取得することが可能である。また、識別子として、ＣＣＤなどを用いて、シートに付加されているバーコードなどを取得することが可能である。シートのサイズを取得した場合は、例えば記憶部に予め記憶されている、シートのサイズとデータ名との対応関係に基づいて、サイズに応じたデータを準備するなど、シートの種類に応じた画像を記録することができる。シートに付加されているバーコードを取得した場合は、例えば記憶部に予め記憶されている、バーコード（バーコードの一部であってもよい）とデータ名との対応関係に基づいて、バーコードに応じたデータを準備するなど、シートに付加された識別子に応じた画像を記録することができる。ユーザは、希望の画像に対応するシートを用意するだけでよく、記録する画像は画像記録装置側でシートに応じて自動的に準備される。
【００２０】
本発明においては、画像を記録するシートは、シートがセットされるトレイから供給され、前記取得手段は、前記トレイにセットされるシートに関する情報を取得する。例えば、トレイにセットされたシートのサイズ（Ａ４、Ｂ５など）を取得したり、シートに付加されているバーコードを取得することが可能である。トレイにセットされたシートに応じたデータを準備することができる。
【００２１】
本発明においては、画像を記録するシートは、シートが格納される複数のカセットのうち、指定されたカセットから供給され、前記取得手段は、前記指定されたカセットに格納されるシートに関する情報を取得する。例えば、カセットとカセットに格納されているシートに関する情報との対応関係が予め記憶部に記憶されており、取得手段は指定されたカセットに対応するシートに関する情報を前記記憶部から読出すことが可能である。指定されたカセットに格納されているシートに応じた画像を準備することができる。
【００２２】
本発明においては、他の装置からデータを受信する受信手段を備え、前記準備手段は、準備すべきデータを前記受信手段によって受信するため、内蔵の記憶部からデータを読出す場合と比較して、準備可能なデータを柔軟に変更することが可能となる。例えば、他の装置に大容量の記憶部を設けて、準備可能なデータ数を増加させたり、複数の画像記録装置が接続された他の装置に記憶されている準備可能なデータを更新することにより、各画像記録装置毎に準備可能なデータを夫々更新する手間を省くことができる。
【００２３】
本発明においては、データを記憶する記憶部を備え、前記準備手段は、準備すべきデータを前記記憶部から読出すため、他の装置からデータを受信する場合と比較して、データの準備を高速に行うことができる。記憶部としては、フラッシュメモリなどの半導体記憶装置を用いたり、ハードディスクドライブなどの磁気記憶装置を用いることが可能である。
【００２４】
本発明においては、準備手段がデータの準備を完了するまで、禁止手段がシートへの画像の記録を禁止するため、データの準備が未完了の状態で画像の記録が開始されることを防止でき、データが欠落した不完全な画像が記録されるおそれがなくなる。特に、記録するデータを他の装置から受信する場合は、データ受信に遅延が生じる可能性があり、データを完全に受信するまで、シートへの画像の記録を禁止することが好ましい。
【発明の効果】
【００２５】
本発明によれば、シートに応じた画像の記録を行うことができる。シートを選択することで、記録する画像が自動的に選択される。
【００２６】
本発明によれば、種々のシートに応じた種々の画像の記録を行うことができる。
【００２７】
本発明によれば、トレイにセットされたシートに応じた画像を記録することができる。
【００２８】
本発明によれば、指定されたカセットに格納されているシートに応じた画像を記録することができる。
【００２９】
本発明によれば、準備可能なデータを柔軟に変更することができる。
【００３０】
本発明によれば、画像がシートに記録されるまでの待ち時間の短縮化を図ることができる。
【００３１】
本発明によれば、データの欠落による不完全な画像の記録を防止することができる。
【発明を実施するための最良の形態】
【００３２】
以下、本発明をその実施の形態を示す図面に基づいて具体的に説明する。
図１は、本発明に係る複合機（画像記録装置）を含むネットワークシステムの構成例を示すブロック図である。複合機１０は、例えば店舗などの建物内の内部ネットワーク６０に接続されている。内部ネットワーク６０には、建物内の１又は複数のクライアント６４及び１又は複数のサーバ６２などが接続されている。複合機１０は、クライアント６４又はサーバ６２から受付けた印刷データの印刷を行うことが可能である。
【００３３】
また、複合機１０は、電話回線網８０に接続されている。電話回線網８０には複数のＦＡＸ機８２などが接続されている。複合機１０は、ＦＡＸ機８２との間でＦＡＸデータの送受信を行うことが可能である。また、複合機１０は、原稿の画像を読取り、読取った画像を印刷したり、読取った画像を内部ネットワーク６０のクライアント６４などへ送信することが可能である。
【００３４】
また、複合機１０は、内部ネットワーク６０を介して、インターネットなどの外部ネットワーク７０と接続されている。外部ネットワーク７０には、複数のクライアント７４及び複数のサーバ７２などが接続されている。複合機１０は、内部ネットワーク６０のクライアント６４、サーバ、外部ネットワーク７０のクライアント７４及びサーバ７２とデータの送受信を行うことが可能である。
【００３５】
図２は、本発明に係る複合機１０の構成例を示すブロック図である。複合機１０は、イメージスキャナなどの画像読取に関する制御を行うイメージ・コントロール・ユニット（ＩＣＵ）２０と、操作パネル及び表示パネルなどの制御を行うオペレーション・コントロール・ユニット（ＯＣＵ）２２と、ＦＡＸデータの送受信などを行うＦＡＸインタフェイス（ＦＡＸ・ＩＦ）２６と、内部ネットワーク６０のクライアント６４又はサーバ６２からの印刷データの受信などを行うプリンタ・インタフェイス（プリンタ・ＩＦ）２４と、現像装置及び給紙機構などの印刷に関する制御を行うプリント・コントロール・ユニット（ＰＣＵ）１８と、印刷すべきデータ及び各種設定データなどのデータを記憶するハードディスクドライブ（ＨＤＤ）１４と、複合機１０内の上述した各構成部の制御を行うＣＰＵ（Central Processing Unit）１２と、ＣＰＵ１２に接続されたメモリ１６とを備える。
【００３６】
また、複合機１０は、用紙（シート）がセットされる手差トレイ２８と、用紙が格納されるカセット３０とを備える。手差トレイ２８には、用紙のセット、及び、セットされた用紙のサイズを検出する用紙センサ２８ａが設けられており、用紙センサ２８ａの検出結果はＣＰＵ１２に送られる。また、カセット３０は、図２の例では、カセット１〜４の４つのカセットを含む。カセット１〜４の選択は操作パネルで受付け、選択結果はＯＣＵ２２を介してＣＰＵ１２に送られる。また、プリンタＩＦ２４は、内部ネットワーク６０のクライアント６４、サーバ６２、外部ネットワーク７０のクライアント７４及びサーバ７２とのデータの送受信などを行う通信インタフェイス（通信ＩＦ）の機能も備える。
【００３７】
また、複合機１０には、課金装置４０が接続されている。課金装置４０は、硬貨もしくは紙幣、又は、プリペイドカードなどが投入される料金投入部５０と、投入金額などを表示する表示部５２と、返金操作などを受付ける操作部４８と、課金装置４０内の上述した各構成部の制御を行うＣＰＵ４２と、ＣＰＵ４２に接続されたＲＡＭ（Random Access Memory）４４及びＲＯＭ（Read Only Memory）４６とを備える。課金装置４０のＣＰＵ４２と複合機１０のＣＰＵ１２とが接続されており、投入金額などの情報が課金装置４０から複合機１０へ送られ、実行した処理の料金などの情報が複合機１０から課金装置４０へ送られる。
【００３８】
複合機１０は、複写又はＦＡＸ送信などの実行指示を受付けた場合、課金装置４０による課金が完了した後、指示された複写又はＦＡＸ送信などの処理を実行する。また、複合機１０は、有料のコンテンツデータの印刷指示を受付けた場合、課金装置４０による課金が完了した後、ＨＤＤ（記憶部）１４に記憶されている有料のコンテンツデータに基づく画像の用紙への印刷（記録）を実行する。ここで、コンテンツデータは、用紙に印刷可能なデータであり、例えば画像データであり、ワープロデータなどの文字データであってもよい。
【００３９】
ＣＰＵ１２は、用紙センサ２８ａの検出結果に基づいて、用紙サイズ（シートに関する情報）を取得する取得手段、及び、取得した用紙サイズに応じたコンテンツデータを準備する準備手段として動作し、準備したコンテンツデータに基づく画像を用紙に印刷するようにＰＣＵ１８などを制御する。また、ＣＰＵ１２は、印刷すべきコンテンツデータの準備が完了するまで、用紙への画像の印刷（記録）を禁止する禁止手段として動作する。ここで、コンテンツデータを準備するとは、ＨＤＤ１４に記憶されているコンテンツデータをメモリ１６に読出すことを意味する。また、用紙サイズに応じたコンテンツデータの準備は、ＨＤＤ１４に記憶されている、用紙とコンテンツデータとの対応情報に基づいて行う。
【００４０】
図３は対応情報の一例を示す図である。対応情報は、用紙とコンテンツデータとの対応が登録されており、図３の例では、Ａ４サイズの用紙Ａにはコンテンツデータ１、４が対応しており、Ａ３サイズの用紙Ｂにはコンテンツデータ３が対応しており、Ｂ５サイズの用紙Ｃにはコンテンツデータ５が対応しており、Ｂ４サイズの用紙Ｄにはコンテンツデータ２が対応している。ここで、用紙Ａのように、用紙に対応するコンテンツデータが複数の場合、ＣＰＵ１２はＯＣＵ２２を制御して表示パネルにコンテンツデータ（図３の場合はコンテンツデータ１，４）の選択画面を表示し、操作パネルで受付けた選択結果がＯＣＵ２２を介してＣＰＵ１２に送られ、印刷を行うコンテンツデータが決定される。
【００４１】
図４は、シートに応じた画像の印刷手順の一例を示すフローチャートである。ＣＰＵ１２は、用紙センサ２８ａによって手差トレイ２８への用紙セットを検出した場合（Ｓ１０：ＹＥＳ）、用紙センサ２８ａの検出結果から用紙サイズ（用紙情報）を取得し（Ｓ１２）、ＨＤＤ１４に記憶されている対応情報に基づいて、用紙サイズに対応するコンテンツデータを特定し、ＯＣＵ２２を制御して、対応するコンテンツデータのデータ名（データ情報）などを表示パネルに表示させる（Ｓ１８）。ここで、取得した用紙サイズに対応するコンテンツデータが複数存在する場合、複数のデータ名（データ情報）などと共に、コンテンツデータの選択画面を表示パネルに表示させる。選択結果は、ＯＣＵ２２を介してＣＰＵ１２に送られる。なお、ＣＰＵ１２により、用紙サイズに対応するコンテンツデータをＨＤＤ１４からメモリ１６に読出し、読出したコンテンツデータに基づく縮小画像を作成し、作成した縮小画像（データ情報）を表示パネルに表示することも可能である。
【００４２】
用紙サイズ（用紙情報）に対応するコンテンツデータが１つの場合（Ｓ２０：ＮＯ）、又は、用紙サイズに対応するコンテンツデータが複数でコンテンツデータの選択を受付けた場合（Ｓ２０：ＹＥＳ、Ｓ２２：ＹＥＳ）、ＣＰＵ１２は、ＯＣＵ２２を制御して、実行確認画面を表示パネルに表示する。実行確認画面は、例えばＨＤＤ１２に予め記憶されており、「実行する」／「キャンセル（実行中止）」の選択を受付ける。選択結果は、ＯＣＵ２２を介してＣＰＵ１２に送られる。
【００４３】
「実行する」の選択を受付けて、印刷実行の確認が完了した場合（Ｓ２４：ＹＥＳ）、ＣＰＵ１２は、印刷すべきコンテンツデータがＨＤＤ１４からメモリ１６に読出されて、準備が完了しているか確認する。印刷すべきコンテンツデータの準備が完了している場合（Ｓ２８：ＹＥＳ）、ＣＰＵ１２は、ＰＣＵ１８を制御して、手差トレイ２８から用紙を給紙し（Ｓ３０）、準備したコンテンツデータに基づく画像を印刷する（Ｓ３２）。
【００４４】
「キャンセル」の選択を受付けて、印刷実行の確認が完了せず、印刷中止になった場合（Ｓ２４：ＮＯ、Ｓ２６：ＹＥＳ）、図４の処理を終了する。また、ＣＰＵ１２がコンテンツデータの選択を受付けず（Ｓ２２：ＮＯ）、操作パネルのストップキーなどが押下されて印刷中止の指示を受付けた場合（Ｓ２６：ＹＥＳ）も、図４の処理を終了する。
【００４５】
上述した実施の形態においては、用紙（シート）に関する情報として、用紙のサイズを取得する場合を例にして説明したが、用紙の厚みを取得したり、ＣＣＤなどを用いて用紙の色を取得することも可能である。また、用紙（シート）に関する情報として、用紙にバーコードなどの識別子を付加し、ＣＣＤなどを用いてバーコードを取得したり、用紙にＩＣチップを付加し、ＩＣリーダを用いてＩＣチップに記憶されている識別子を取得することも可能である。
【００４６】
また、上述した実施の形態においては、手差トレイ２８にセットされた用紙に関する情報に応じたコンテンツデータの印刷を行う場合を例にして説明を行ったが、画像の印刷に指定されたカセットに格納されている用紙に関する情報に応じたコンテンツデータの印刷を行うことも可能である。この場合、対応情報にはカセットとコンテンツデータとの対応が登録される。
【００４７】
図５は対応情報の他の例を示す図である。図５の例では、カセット１にはコンテンツデータＡ，Ｃが対応しており、カセット２にはコンテンツデータＢが対応しており、カセット３にはコンテンツデータＤが対応している。また、操作パネルでカセット３０の指定を受付けることにより、画像を印刷する用紙の指定を受付けるため、ＣＰＵ１２は、ＯＣＵ２２を介してカセットの指定を受付けた場合、指定されたカセットに対応するコンテンツデータに基づく画像を、ＰＣＵ１８を制御して用紙に印刷させる。
【００４８】
図６は、シートに応じた画像の印刷手順の他の例を示すフローチャートである。ＣＰＵ１２は、ＯＣＵ２２を介して操作パネルからカセットの指定を受け付けた場合（Ｓ１４：ＹＥＳ）、指定されたカセットから用紙を供給するようにＰＣＵ１８を制御すると共に、ＨＤＤ１４に記憶されている対応情報に基づいて、指定されたカセットに対応するコンテンツデータを特定する。ＣＰＵ１２は、指定されたカセットに対応するコンテンツデータが存在する場合（Ｓ１６：ＹＥＳ）、上述した実施の形態（図４）と同様に、ＯＣＵ２２を制御して、対応するコンテンツデータのデータ名（データ情報）などを表示パネルに表示させ（Ｓ１８）、以下、同様の処理を行う。また、指定されたカセットに対応するコンテンツデータが存在しない場合（Ｓ１６：ＮＯ）は、図６の処理を終了する。
【００４９】
また、上述した実施の形態においては、複合機１０のＨＤＤ１４にコンテンツデータを記憶し、ＨＤＤ１４から読出しているが、コンテンツデータを他の装置から受信することも可能である。図７は本発明の複合機を含むネットワークシステムの他の例を示すブロック図である。図７の例では、内部ネットワーク６０のサーバ６２にコンテンツデータが記憶されており、ＣＰＵ１２の制御により、プリンタＩＦ（受信手段）からサーバ６２へコンテンツデータを要求し、サーバ６２からコンテンツデータを受信して、メモリ１６に記憶することにより、コンテンツデータの準備が完了する。なお、内部ネットワーク６０のサーバ６２の代わりに、外部ネットワークのサーバ７２にコンテンツデータを記憶し、サーバ７２からコンテンツデータを受信することも可能である。また、複合機１０のＨＤＤ１４と、他の装置（例えばサーバ６２，７２など）とにコンテンツデータを記憶し、ＨＤＤ１４又は他の装置の何れかからコンテンツデータを受信することも可能である。
【００５０】
なお、図２においては、複合機１０に課金装置を接続してあるが、課金を行わない場合は、課金装置４０は不要である。また、上述した各実施の形態においては、画像記録装置として複合機を用いる場合を例にして説明したが、画像記録装置として例えばプリンタ又はネットワークプリンタを用いることも勿論可能である。
【図面の簡単な説明】
【００５１】
【図１】本発明に係る複合機（画像記録装置）を含むネットワークシステムの構成例を示すブロック図である。
【図２】本発明に係る複合機の構成例を示すブロック図である。
【図３】対応情報の一例を示す図である。
【図４】シートに応じた画像の印刷手順の一例を示すフローチャートである。
【図５】対応情報の他の例を示す図である。
【図６】シートに応じた画像の印刷手順の他の例を示すフローチャートである。
【図７】本発明の複合機を含むネットワークシステムの他の例を示すブロック図である。
【符号の説明】
【００５２】
１０  複合機
１２  ＣＰＵ
１４  ＨＤＤ
１６  メモリ
１８  ＰＣＵ
２０  ＩＣＵ
２２  ＯＣＵ
２４  プリンタＩＦ
２６  ＦＡＸ・ＩＦ
２８  手差トレイ
２８ａ  用紙センサ
３０  カセット
６０  内部ネットワーク
６２、７２  サーバ
６４、７４  クライアント
７０  外部ネットワーク
８０  電話回線網
８２  ＦＡＸ機
【図１】
2006247895.tif 000003
【図２】
2006247895.tif 000004
【図３】
2006247895.tif 000005
【図４】
2006247895.tif 000006
【図５】
2006247895.tif 000007
【図６】
2006247895.tif 000008
【図７】
2006247895.tif 000009